(57)【要約】【課題】蓋体と本体とでクッキングシートを良好にホールドし、切断不良を発生することなく所望の位置で切断が可能であると同時に、クッキングシートの巻癖を痕跡を残さずに解消可能なクッキングシートロール体収納カートンを提供する。【解決手段】本体１００の前面板２０の上縁２２に折り部を介して連なる内フラップ９０を設け、該内フラップ９０の外側表面の少なくとも左右両端に滑り止め９１を設ける。【選択図】図２
2016108054.tif 000002
【特許請求の範囲】
【請求項１】
底面板と、前記底面板の四方にそれぞれ折り部を介して連なると共に前記折り部を介して折り曲げて前記底面板より立ち上げられた前面板と左右の側面板と背面板と、を有し、クッキングシートロール体を収納する箱形の本体と、
前記背面板の上縁に折り部を介して連なると共に前記折り部を介して折り曲げることにより前記本体の上面開口を覆う上面板と、前記上面板の前縁に折り部を介して連なると共に前記折り部を介して折り曲げることにより前記前面板の外側に重なる掩蓋片と、を有し、前記本体の背面板の上縁から傾動可能に連接されている蓋体と、
前記掩蓋片の下端、或いは、前記底面板の前縁に取り付けられた切断刃と、を備えたクッキングシートロール体収納カートンにおいて、
前記前面板の上縁に折り部を介して連なると共に前記折り部を介して内側に折り曲げられて前記背面板に向かって突出する内フラップを有し、
前記内フラップの外側表面に滑り止めが設けられていることを特徴とするクッキングシートロール体収納カートン。
【請求項２】
前記滑り止めは、前記内フラップの左右両端部に設けられていることを特徴とする請求項１に記載のクッキングシートロール体収納カートン。
【請求項３】
前記滑り止めは、前記内フラップの左右方向の中央部にも設けられていることを特徴とする請求項２に記載のクッキングシートロール体収納カートン。
【請求項４】
前記滑り止めは、前記内フラップの外側表面全面に設けられていることを特徴とする請求項１に記載のクッキングシートロール体収納カートン。
【請求項５】
前記内フラップの奥行きは、前記底面板の奥行きの１／４〜１／２であることを特徴とする請求項１乃至４のいずれか１項に記載のクッキングシートロール体収納カートン。
【請求項６】
前記前面板の上縁を跨いで前記前面板の外側表面にも連続して設けられていることを特徴とする請求項１乃至５のいずれか１項に記載のクッキングシートロール体収納カートン。
【請求項７】
前記滑り止めは、前記前面板の上縁全体を跨いで前記前面板と前記内フラップとに連続して帯状に設けられていることを特徴とする請求項６に記載のクッキングシートロール体収納カートン。
【請求項８】
前記滑り止めは、前記前面板の、前記蓋体を閉じた状態で前記掩蓋片に重なる領域に設けられていることを特徴とする請求項６又は７に記載のクッキングシートロール体収納カートン。
【請求項９】
前記滑り止めは、天然ゴムラテックスを主成分とする樹脂からなることを特徴とする請求項１乃至８のいずれか１項に記載のクッキングシートロール体収納カートン。
【請求項１０】
前記滑り止めは、アクリル樹脂を主成分とする樹脂からなることを特徴とする請求項１乃至８のいずれか１項に記載のクッキングシートロール体収納カートン。
【請求項１１】
請求項１乃至１０のいずれか１項に記載のクッキングシートロール体収納カートンにクッキングシートロール体を収納してなり、収納された前記クッキングシートロール体において、クッキングシートが前記前面板側から前記上面板側を経て前記背面板側に向かう方向に巻かれていることを特徴とする包装体。
【発明の詳細な説明】
【技術分野】
【０００１】
本発明は、帯状のクッキングシートを巻き取ったクッキングシートロール体を収納するための収納カートン及び該収納カートンにクッキングシートロール体を収納した包装体に関する。
【背景技術】
【０００２】
従来、クッキングシートやラップフィルム、アルミホイルなどのシート類のロール体を収納するカートンとしては、これらのロール体を収納する箱形の本体と、該本体に連接された蓋体と、シートを切断するために本体或いは蓋体に取り付けられた切断刃と、を備えた構造が一般的である（例えば、特許文献１の図１参照）。係るカートンに収納されたシートを使用する際には、ロール体からシートを所望の長さに引き出し、蓋体を閉じて蓋体の上面板の前縁付近を親指で押さえることにより、蓋体と本体とでシートを挟んでホールド（保持）し、引き出したシートを切断刃で切断する。
【先行技術文献】
【特許文献】
【０００３】
【特許文献１】特開２０１２−７６２０７号公報
【発明の概要】
【発明が解決しようとする課題】
【０００４】
クッキングシートは、調理時の耐熱性や耐油性を高めるため、薄い紙の表面にシリコーン樹脂やフッ素系樹脂などの耐熱樹脂がコーティングされているため、非常に滑り易い。そのため、上記したようなカートンに収納したクッキングシートを切断する際には、しっかり蓋体を押さえていても、容易にクッキングシートが滑り出てしまい、所望の位置で切断できず、斜め切りや切り残し等の切断不良が発生するという問題があった。
【０００５】
また、クッキングシートは、上記のように樹脂がコーティングされていることによって、ロール状に捲回されてカートンに収納されているうちに巻癖がついてしまうため、引き出されたシートが丸まってしまい、食材を置きにくくなるなど扱いにくくなる。この巻癖を解消するためには、ロールの巻方向とは逆方向に丸めて巻癖を解消する必要があり、使用の際に手間がかかるという問題があった。また、ロール体を通常とは巻方向が逆になるように収納し、引き出したシートをカートンの前面板の上縁より内側に突出する内フラップの先端に設けた突出部でしごいて巻癖を解消する技術も提案されているが、突出部でしごかれた痕跡（筋状のしごき跡や傷）がシートに残り、見栄えが良くなく、そのシートの上に菓子や食品の生地を載せて調理すると、しごかれた痕跡に沿った形に焼き上がってしまうという問題があった。
【０００６】
本発明の課題は、蓋体と本体とでクッキングシートを良好にホールドし、切断不良を発生することなく所望の位置で切断が可能であるとともに、クッキングシートを引き出す際に、痕跡を残さず巻癖を解消することが可能なクッキングシートロール体収納カートン、及び該カートンにクッキングシートロール体を収納した包装体を提供することにある。
【課題を解決するための手段】
【０００７】
本発明の第１は、底面板と、前記底面板の四方にそれぞれ折り部を介して連なると共に前記折り部を介して折り曲げて前記底面板より立ち上げられた前面板と左右の側面板と背面板と、を有し、クッキングシートロール体を収納する箱形の本体と、
前記背面板の上縁に折り部を介して連なると共に前記折り部を介して折り曲げることにより前記本体の上面開口を覆う上面板と、前記上面板の前縁に折り部を介して連なると共に前記折り部を介して折り曲げることにより前記前面板の外側に重なる掩蓋片と、を有し、前記本体の背面板の上縁から傾動可能に連接されている蓋体と、
前記掩蓋片の下端、或いは、前記底面板の前縁に取り付けられた切断刃と、を備えたクッキングシートロール体収納カートンにおいて、
前記前面板の上縁に折り部を介して連なると共に前記折り部を介して内側に折り曲げられて前記背面板に向かって突出する内フラップを有し、
前記内フラップの外側表面に滑り止めが設けられていることを特徴とする。
【０００８】
本発明においては、下記の構成を好ましい態様として含む。
前記滑り止めは、前記内フラップの左右両端部に、さらには、前記内フラップの左右方向の中央部にも設けられている。或いは、前記滑り止めは、前記内フラップの外側表面全面に設けられている。
前記内フラップの奥行きは、前記底面板の奥行きの１／４〜１／２である。
前記滑り止めは、前記前面板の上縁を跨いで前記前面板の外側表面にも連続して設けられている。特に、前記滑り止めは、前記前面板の上縁を跨いで前記前面板と前記内フラップとに連続して帯状に設けられている。また、前記滑り止めは、前記前面板の、前記蓋体を閉じた状態で前記掩蓋片に重なる領域に設けられている。
前記滑り止めは、天然ゴムラテックスを主成分とする樹脂からなる。
また、前記滑り止めは、アクリル樹脂を主成分とする樹脂からなる。
【０００９】
更に本発明の第２は、クッキングシートロール体収納カートンにクッキングシートロール体を収納してなり、収納された前記クッキングシートロール体において、クッキングシートが前記前面板側から前記上面板側を経て前記背面板側に向かう方向に巻かれていることを特徴とする包装体である。
【発明の効果】
【００１０】
本発明のクッキングシートロール体収納カートンにおいては、滑り止めを備えた内フラップを有することによって、クッキングシートを蓋体と本体との間でしっかりとホールドすることができ、クッキングシートを所望の位置で容易に切断することができる。また、本発明のクッキングシートロール体収納カートンにおいては、クッキングシートロール体をシートの巻方向が通常とは逆方向となるように収納することにより、クッキングシートを引き出す際に、クッキングシートが内フラップに設けられた滑り止めの表面で擦られることで、巻癖が解消される。また、巻癖を解消するために、内フラップの先端に突出部を設ける必要がないため、引き出されたシートには痕跡が残らず、見栄えがよい。
【００１１】
また、本発明の包装体においては、クッキングシートの巻方向が通常とは逆方向になるようにクッキングシートロール体が本発明のクッキングシートロール体収納カートンに収納されているため、係るカートンを開封した際に、クッキングシートの巻癖を解消するためにクッキングシートロール体を入れ直す必要がなく、直ちに使用することができる。
【図面の簡単な説明】
【００１２】
【図１】本発明のクッキングシートロール体収納カートンの一実施形態の展開図である。
【図２】図１の実施形態のクッキングシートロール体収納カートンに収納したクッキングシートを引き出した状態を示す斜視図である。
【図３】図１の実施形態のクッキングシートロール体収納カートンにクッキングシートロール体を収納した包装体を開封する様子を示した斜視図である。
【図４】本発明のクッキングシートロール体収納カートンの他の実施形態の展開図である。
【図５】本発明のクッキングシートロール体収納カートンの他の実施形態の展開図である。
【図６】本発明のクッキングシートロール体収納カートンの他の実施形態の展開図である。
【図７】本発明のクッキングシートロール体収納カートンの他の実施形態に収納したクッキングシートを引き出した状態を示す斜視図である。
【図８】比較例のクッキングシートロール体収納カートンの展開図である。
【図９】図１のクッキングシートロール体収納カートンにクッキングシートロール体を収納した包装体からクッキングシートを引き出す状態の幅方向中央部における断面模式図である。
【発明を実施するための形態】
【００１３】
以下、図面を参照して本発明の実施形態を説明するが、本発明は下記実施形態に限定されない。また、以下に参照する図面において、同じ符号は同様の構成要素を示す。尚、図中の一点鎖線は折り部を示す。また、本発明において「幅方向」及び「左右方向」とは、収納したシートの幅方向であり、図１における紙面上下方向を指す。
【００１４】
本発明に係るクッキングシートロール体収納カートン（以下、「カートン」と記す）を図１〜図７，図９を用いて詳細に説明する。
【００１５】
本発明のカートンは、本体１００と、蓋体２００と、切断刃３００とを備えており、本体１００内にクッキングシート(以下、「シート」と記す)４０１のロール体４００を収納して包装体とする。また、本発明のカートンが収納する対象であるクッキングシート４０１とは、紙やアルミニウムなどの基材の表面に耐熱性を有するシリコーン樹脂或いはフッ素系樹脂がコーティングされている調理用シートである。
【００１６】
本発明のカートンは、図１に示すように、切断刃３００以外は１枚のシート材から切り出し、折り曲げて所定の箇所を接着剤等により固定することにより成形することができる。本発明の包装箱に用いられるシート材としては、通常、弾性、柔軟性を有する紙であり、表面に適宜樹脂層をコーティングしたものなども好ましく用いられる。また、切断刃３００は金属、樹脂、紙から別途形成され、蓋体２００の所定の位置に取り付けられる。
【００１７】
また、本発明の収納カートンに収納されるクッキングシート４０１は、長尺シートの形態で提供され、円筒形の芯材に巻き取って、或いは芯材を用いずに円筒形に巻き取ってロール体とし、本発明のカートンの本体１００内に収納される。
【００１８】
図１、図２に示すように、本体１００は底面板１０と、該底面板１０の四方にそれぞれ折り部を介して連なる前面板２０と左右の側面板３０ａ，３０ｂと背面板４０とを有している。そして、前面板２０と側面板３０ａ，３０ｂと背面板４０とを、それぞれ折り部を介して９０°に折り曲げて底面板１０より立ち上げることにより、箱形の本体１００が形成されている。本実施形態においては、前面板２０の左右に折り部を介して補助片２１ａ，２１ｂを、背面板４０の左右に折り部を介して補助片４１ａ，４１ｂを、それぞれ備えている。よって、前面板２０、側面板３０ａ，３０ｂ、背面板４０をそれぞれ底面板１０から立ち上げた際には、係る補助片２１ａと４１ａとをそれぞれ前面板２０と背面板４０とから折り部を介して９０°に折り曲げて側面板３０ａの内面に、補助片２１ｂと４１ｂとをそれぞれ前面板２０と背面板４０とから折り部を介して９０°に折り曲げて側面板３０ｂの内面に、それぞれ、接着剤を介して貼り付けて固定し、箱形形状を保持することができる。
【００１９】
蓋体２００は、本体１００の背面板４０の上縁に折り部を介して連なる上面板５０と、該上面板５０の前縁に折り部を介して連なる掩蓋片６０と、を有している。よって、上面板５０を背面板４０から折り部を介して９０°に折り曲げ、さらに掩蓋片６０を上面板５０から折り部を介して９０°に折り曲げて固定することにより、掩蓋片６０と上面板５０との境界である折り部の角度が９０°に固定された蓋体２００が成形される。本実施形態では上面板５０の左右に折り部を介して側縁板５１ａ，５１ｂを、掩蓋片６０の左右に折り部を介して補助片６１ａ，６１ｂを、それぞれ備えている。よって側縁板５１ａ，５１ｂを上面板５０から折り部を介して９０°に折り曲げ、同様に補助片６１ａ，６１ｂを掩蓋片６０から折り部を介して９０°に折り曲げ、側縁板５１ａと補助片６１ａ、側縁板５１ｂと補助片６１ｂをそれぞれ貼り合わせることで上面板５０から掩蓋片６０を９０°に折り曲げた状態で固定することができる。
【００２０】
本例において、前面板２０の高さＨ１と背面板４０の高さＨ２とは、互いに等しくても、シート材の厚さ分を調整するため互いに異なっていても良い。また、底面板１０の奥行きＤ１と上面板５０の奥行きＤ２についても同様に、互いに等しくても、シート材の厚さ分を調整するため互いに異なっていても良い。
【００２１】
蓋体２００には、図２に示すようにシート４０１を切断するための切断刃３００が取り付けられており、該切断刃３００は、掩蓋片６０の下端から切断刃３００の先端が突出するように掩蓋片６０の内側に取り付けられる。
【００２２】
本例においては、図１に示すように、掩蓋片６０の下端にミシン目８０を介して掩蓋片６０に連なる開封板７０が配置されており、開封板７０を本体１００の前面板２０に接着剤等によって貼付することで蓋体２００を本体１００に固定する。この時、掩蓋片６０の内側に取り付けられた切断刃３００の先端は開封板７０によって覆われ、開封時には図３に示すように、ミシン目８０において開封板７０を切り離すことによって蓋体２００は開放され、切断刃３００の先端が露出してシート４０１の切断が可能となる。本例では、掩蓋片６０と開封板７０との高さの合計Ｈ４と背面板４０の高さＨ２とが等しく、収納カートンを組み立てた際に、開封板７０の下端が前面板２０の下端に一致する。
【００２３】
本発明においては、図１，図２に示すように、前面板２０の上縁２２に折り部を介して連なると共に該折り部を介して内側に折り曲げられて背面板４０に向かって突出する内フラップ９０が設けられており、係る内フラップ９０の外側表面、即ち蓋体２００の上面板５０の裏面に対向する表面に滑り止め９１が設けられている。図１，図２においては、斜線で示される領域が滑り止め９１である。
【００２４】
本発明においては、係る滑り止め９１を内フラップ９０に設けたことにより、シート４０１を切断する際に、上面板５０と内フラップ９０との間に挟まれたシート４０１が、上面板５０と内フラップの間で滑りにくく、良好にホールドされる。よって、引き出したシート４０１を切断すべく手前に引っ張った場合でも、シート４０１が滑り出さず、所望の位置で切断することができる。
【００２５】
図９は、図１のカートンにロール体４００を収納した包装体において、ロール体４００からシート４０１を引き出した状態での、カートンの幅方向の中央部における、奥行き方向（側面板３０ａの上縁に沿った方向）に沿った断面模式図である。本発明のカートンには、図９に示すように、ロール体４００を通常とは巻方向が逆方向となるように収納することによって、シート４０１の巻癖を解消することができる。通常のラップフィルムやアルミホイルなどのロールを収納する際は、シート４０１が背面板４０側から上面板５０側を経て前面板２０側に向かう方向に巻かれた状態で収納されるが、本発明においてはこの逆となるように、シート４０１が、前面板２０側から上面板５０側を経て背面板４０側に向かう方向に巻かれた状態でロール体４００を本体１００に収納する。
【００２６】
次に、図９に示すように、ロール体４００から引き出したシート４０１を、内フラップ９０の先端で折り返して、内フラップ９０と上面板５０との間を通し、さらに本例では、掩蓋片６０と前面板２０との間を通して外部に引き出す。そして、掩蓋片６０の先端６０ａに取り付けられた切断刃３００によって引き出したシート４０１を切断する。
【００２７】
シート４０１は図９に示した上記経路を通って引き出される際に、その表面を内フラップ９０に設けられた滑り止め９１の表面で擦られることにより、係る表面をしごかれた場合と同様の作用を受け、巻癖が解消される。また、本発明では、内フラップ９０の先端形状が直線状でも巻癖解消効果が得られるため、引き出されたシートに痕跡が残らない。
【００２８】
本発明において、滑り止め９１は、少なくとも内フラップ９０の左右両端に設けることにより、カートンの左右どちら側からシート４０１を切断し始めても、良好にシート４０１をホールドして所望の位置で切断することができ、巻癖も解消される。さらに、滑り止め９１は内フラップ９０の左右方向の中央部にも設けることにより、親指で押さえる上面板５０の前縁でもシート４０１が滑り出しにくくなり、巻癖の解消効果も高くなるため好ましい。いずれの場合も、滑り止め９１は、内フラップ９０と前面板２０との境界、即ち前面板２０の上縁２２に設けることが、より高い効果を得る上で望ましい。滑り止め９１の左右方向の長さＷ２，Ｗ３，Ｗ４はそれぞれＷ１に対して１／５以上であることが好ましく、より好ましくは、図４に示すように、内フラップ９０の外側表面の全面に滑り止め９１を設ける。また、内フラップ９０の奥行きＤ３は、小さすぎると滑り止め９１の効果が十分に得られなくなる恐れがあり、大きすぎるとシート４０１を引き出しにくくなる恐れがあるため、上面板１０の奥行きＤ２の１／４〜１／２が好ましい。
【００２９】
本発明においてはさらに、滑り止め９１を内フラップ９０のみならず、前面板２０の外側表面にも設けることが好ましい。この場合、前面板２０の滑り止めは上縁２２に接して設けることが、より高い効果を得る上で望ましい。図５は前面板２０に滑り止め２３を設けた例であり、前面板２０の上縁２２に隣接して設け、内フラップ９０の滑り止め９１と同様に、好ましくは左右両端、さらには左右方向の中央部にも設けることが好ましい。この場合、内フラップ９０の滑り止め９１と前面板２０の滑り止め２３とが連続し、滑り止めが内フラップ９０と前面板２０の境界である上縁２２を跨ぐ形態となり、高い滑り止め効果が得られる上、逆方向に収納したロール体４００から引き出されたシート４０１が、上記上縁２２で強くしごかれるため、巻癖解消効果も高くなる。尚、前面板２０に設けられる滑り止め２３は、蓋体２００を閉じた状態で掩蓋片６０が重なる領域に設けることが好ましい。また、滑り止め２３の高さＨ５は掩蓋片６０の高さＨ３を超えても効果は変わらない。よって、Ｈ５≦Ｈ３の範囲で滑り止め２３を形成することが好ましい。
【００３０】
望ましくは、図６に示すように、滑り止め２３，９０を前面板２０の上縁２２全体を跨いで連続して帯状に設ける。また、その際にも、滑り止め２３の高さＨ５は、掩蓋片９０の高さＨ３以下とすることが好ましく、望ましくは、Ｈ５＝Ｈ３である。
【００３１】
本発明に係る滑り止め９１，２３は、天然ゴムや合成ゴム、アクリル樹脂を主成分とする樹脂などの合成樹脂で形成することができる。特に、アクリル樹脂を主成分とする樹脂は、耐ブロッキング性が高く、本発明のカートンをブランクの状態で積み重ねた場合に、隣り合ったブランクが該滑り止め９１，２３によって互いに接着し合うブロッキングが生じにくく、好ましい。
【００３２】
滑り止め９１，２３を設ける方法としては、これらの材料を含有する滑り止め塗料を塗工することによって設ける方法や、ゴムシートを所定の位置に貼付する方法などが挙げられるが、滑り止め塗料を塗工して乾燥させる方法が、製造が容易なことから好ましい。滑り止め塗料としては、天然ゴムラテックスを主成分とするエマルジョンやアクリル樹脂を主成分とする水性塗料が好ましく用いられる。係る塗料は印刷塗工によって所望の領域に容易に付与することができる。具体的には、グラビア輪転印刷或いは平グラビア印刷、フレキソ印刷などで塗工した後に熱風乾燥することで滑り止め９１，２３とすることができる。また、ＵＶ硬化型の樹脂材料を含有する滑り止め塗料をオフセット印刷やフレキソ印刷で塗工し、ＵＶ照射して硬化させても良い。天然ゴムラテックスを用いる場合には、紫外線などによる劣化を防止するための添加剤を加えることが望ましい。また、粘着性の高い樹脂を用いた場合には、ブロッキングを防止するため、滑り止め塗料の固形分に対して１０質量％〜２０質量％程度の無機充填剤又は有機充填剤を添加することが好ましく、係る充填剤としては、平均粒径が２０μｍ以下のものが好ましい。
【００３３】
本発明に係る滑り止め９１，２３としては、クッキングシート４０１に対して滑り角度が３０°以上となることが好ましい。より好ましくは３５°以上である。滑り角度は、３１０ｇの重りの底面（底面積：１５ｃｍ2）に各種クッキングシートを貼り付け、台座の上に形成した滑り止めの上に載せ、傾斜速度２°／秒で台座の上面の水平に対する傾斜角度を徐々に上げて、上記重りがシートごと滑り出す角度を測定して得られる。例えば、上記アクリル樹脂を主成分とする樹脂で形成された滑り止めは３８．３°の滑り角度が得られる。また、通常の滑り止めのないカートンの表面の滑り角度は２５．９°程度である。
【００３４】
図２，図３には、切断刃３００を掩蓋片６０の下端に取り付けた形態を示したが、本発明では係る構成に限定されない。例えば、図７に示すように、底面板１０の前縁から切断刃３００の先端が突出するように底面板１０の外側に取り付けた形態も本発明では適用される。係る構成のカートンの展開図は図１とほぼ同様であるが、掩蓋片６０と開封板７０とを合わせた高さＨ４を、前面板２０の高さＨ１よりも若干高くし、底面板１０に取り付けた切断刃３００の先端を開封板７０の下端で覆って固定することにより、開封するまで切断刃３００の先端が露出しないように保護することができる。
【００３５】
尚、図７の形態では、図２の形態の側縁板５１ａ、５１ｂ及び補助片６１ａ、６１ｂを設けていないが、図７においても、図２の形態と同様に、側縁板５１ａ、５１ｂ及び補助片６１ａ、６１ｂを設けて、上面板５０から掩蓋片６０を９０°に折り曲げた状態で固定した蓋体２００としてもよい。
【実施例】
【００３６】
（実施例１，２，比較例１，２）
コート白ボール「ＪＥＴ  ＳＴＡＲ」（日本製紙株式会社製、坪量：４００ｇ／ｍ2）を用い、図４、図６に示す展開図のカートンを実施例１，２として作製した。また、滑り止め９１を設けない以外は図４と同じ展開図のカートンを比較例１として、図８に示す展開図のように、滑り止め９１を設けず、前面板２０の上縁側に滑り止め２３を設けたカートンを比較例２として作製した。各部材の寸法は、Ｈ１＝３８ｍｍ、Ｄ１＝４１ｍｍ、Ｈ２＝４０ｍｍ、Ｄ２＝４１ｍｍ、Ｈ３＝２６ｍｍ、Ｗ１＝３０８ｍｍ、Ｄ３＝１２ｍｍ、Ｈ５＝２０ｍｍとした。切断刃３００は図２に示すように掩蓋片６０の下端に取り付けた。
【００３７】
滑り止め９１，２３は、それぞれ、滑り止め塗料として天然ゴムラテックスを主成分とし、固形分が４８．６質量％、粘度が１．４５Ｐａ・ｓ、ｐＨが９．４の乳白色エマルジョンを用い、平グラビア印刷で所定の領域に塗工し、熱風乾燥させて形成した。
【００３８】
得られた各例のカートンに、紙基材の両面にシリコーン樹脂をコーティングした一般的にクッキングシートとして販売されているシートのロール体を通常の巻方向で収納し、蓋体２００を閉じた際に引き出されたシート４０１の長さが１００ｍｍとなるように引き出し、蓋体２００を閉じて前面板２０が上に向くように置いた。次に、切断刃３００と前面板２０とが浮かないようにカートンの中央部に３００ｇの重りを載せ、左右両端部は蓋体が開かないように治具で固定した。この状態で、シート４０１を１００ｍｍ／ｍｉｎの速度で水平方向に引き出し、その荷重をプッシュプルスケールで計測した。計測は各例について３回ずつ行い、平均値を出した。
【００３９】
その結果、比較例１は２Ｎ、比較例２は３Ｎ、実施例１は４Ｎ、実施例２は６Ｎで、滑り止めの効果は比較例１＜比較例２＜実施例１＜実施例２の順で高くなり、特に、実施例２ではシートを引き出すには強い力が必要であった。また、実際にシートを切断してみたところ、実施例１，２では切断時にシートが滑り出ることがなく、所望の位置で容易に切断することができたが、比較例１，２ではシートが滑り出て上手く切断することができなかった。
【００４０】
さらに、上記実施例及び比較例のそれぞれのカートンに、上記クッキングシートのロール体を、巻方向が逆になるように収納し、シートを引き出して巻癖の解消効果を観察した。その結果、比較例１＜比較例２＜実施例１＜実施例２の順で高く、引き出されたシートには巻癖を解消するためについた痕跡がなく、見栄えが良かった。また、実施例１，２のカートンでは、シートの切断時にシートが滑り出ることがなく、良好に切断できた。
【００４１】
（実施例３、４）
固形分が５０質量％の水性アクリル樹脂エマルジョンにメタノールを添加して、ザーンカップ♯３（株式会社離合社製）で測定した粘度が１８秒となるように調整した滑り止め塗料を、実施例１で用いたコート白ボールに卓上塗工機（株式会社井元製作所製）を用い、塗工速度５．２ｍ／ｍｉｎ、塗工量が５ｇ／ｍ2となるように塗工し、１００℃で乾燥させ、滑り止め９１，２３を形成し、図４，図６の展開図のカートンを形成し、実施例３，実施例４とした。尚、実施例４において、Ｈ５はＨ３と同じ２６ｍｍとした。滑り止め９１，２３の滑り角度は３８．３°、滑り止め９１，２３以外のカートン表面の滑り角度は２５．９°であった。
【００４２】
上記実施例のそれぞれのカートンに、実施例１で用いたクッキングシートのロール体を、巻方向が逆になるように収納し、シートを引き出して切断し、巻癖の解消効果を観察した。その結果、前記比較例２に対して実施例３＜実施例４の順で、巻癖の解消効果が高く、痕跡も残らず、シートを良好にホールドして容易に切断することができた。
【符号の説明】
【００４３】
１０：底面板、２０：前面板、２１ａ，２１ｂ：補助片、２２：前面板の上縁、２３：滑り止め、３０ａ，３０ｂ：側面板、４０：背面板、４１ａ，４１ｂ：補助片、５０：上面板、５１ａ，５１ｂ：側縁板、６０：掩蓋片、６１ａ，６１ｂ：補助片、７０：開封板、８０：ミシン目、９０：内フラップ、９１：滑り止め、１００：本体、２００：蓋体、３００：切断刃、４００：クッキングシートロール体、４０１：クッキングシート
【図１】
2016108054.tif 000003
【図２】
2016108054.tif 000004
【図３】
2016108054.tif 000005
【図４】
2016108054.tif 000006
【図５】
2016108054.tif 000007
【図６】
2016108054.tif 000008
【図７】
2016108054.tif 000009
【図８】
2016108054.tif 000010
【図９】
2016108054.tif 000011